(57)【要約】      （修正有）【課題】バイクによる雨天での新聞配達でバスケットカバーを取付ける為の補助具を提供する。【解決手段】太さの違った２種類の被膜つき金属棒１，２と樹脂板３を樹脂パイプ６と硬質ゴム４を組み込んで結合させる。そして予めバスケット両サイドコーナーに硬質樹脂パイプを結束バンド５で固定しておき、その穴に本補助具の足の部分をさし込みながら、他の一ケ所の部分をバスケット枠上部１１に乗せてゴムバンドをバスケット下部より廻して左、右の補助具をセット止めする。最後に連結棒を穴６にさし込んで本補助具左、右をがっちりと、連結させ、バスケットカバー９を覆いかぶせる。【選択図】図３
0003165798.tif 000002
【実用新案登録請求の範囲】
【請求項１】
〔０００５〕
２種類の太さの被膜つき金属棒と、樹脂板を、樹脂パイプと、硬質ゴムを組込んで結合さす、図２に示す様に樹脂板の一部と、設えつけカバーが重なり合うように結合さし、それがバスケットカバーへ簡単な取付の要因になる。
【請求項２】
〔０００６〕
バスケットへの取付け方であるが、予めバスケット両サイドコーナーに硬質樹脂パイプを結束バンドで固定しておき、その穴に考案補助具の足部をさし込みながら他の一方部分をバスケット枠上部に乗せて、ゴムバンドをバスケット下部より廻し込んで左．右の補助具をセット止めする。その次に別部品金属棒で、左右の考案補助具を連結する。
【考案の詳細な説明】
【技術分野】
【０００１】本考案はバイクによる雨天での新聞配達でバスケットカバーを取付ける為の補助具である。
【背景技術】
【０００２】バイクには、バスケットとハンドルが一体型で動くものと、スクーターのように分離型がある。この分離型の場合バスケットカバーの蓋の部分が、新聞出し入れの為の開口をつけてセット出来ないので雨降りは両手作業になり非常に困難極まりなく楽白くなく仕方なく過ごして居る次第なのです。何とかしてこの悩やみを解決したい！と、思い続けてきたのでございます。
【考案が解決しょうとする課題】
【０００３】設え付けの専用バスケットカバーにしろ、市販のビニールシートをカバーとして使用するにしろ、カバーの蓋の部分を開口つけて取付けられれば片手で配達物を出し入れ出来る訳で、ハンドルに取付けられぬ以上、バスケットを利用するに限られる。それは、軽量で丈夫で簡単に取りはずしが出来なくてはならぬ！
【課題を解決する為の手段】
【０００４】２種類の太さの被膜つき金属棒と樹脂板を結合して、軽量乍ら丈夫なものとし、他の部品の樹脂パイプとゴムを使用して一工夫加えたものにしている。バスケット両コーナーに予め硬質、樹脂パイプを、固定しておき、出来上った考案補助具の一部をパイプ穴にさし込みながら他の一方の部分をバスケット枠上部に乗せて、ゴムバンドで左、右の補助具を同じにセット止めする。これで確実にバスケットに取付けられる考案物に完成した。あとは、専用カバーも、市販ビニールシートも確実にセット出来る。
【考案の効果】
【０００７】軽量でも丈夫なものになっているので、バスケットに取付けも簡単で、しかも、パイプ穴とゴムバンド止め方がより確実に補助具取付けが安定している。又左、右連結棒がそれをより以上に効果を上げている。前面からのカバーへの風圧を軽減している又、部品結合ベースの樹脂板が側面からの降り込みを防いでいる。これて専用設え付けバスケットカバーも１００％活かされた、勿論市販ビニールシートの活用もこの限りでない。
スクーターのみならず他のバイクにも利用出来るし、新聞配達に限らず、メール便、小物配達にと雨降り配達には広い範囲で活用されるであろうと、思う次第です。
【図面の簡単な説明】〔番号数字の説明〕
図１から１−太さ８ｍｍの被膜つき金属棒、２−太さ４ｍｍの被膜つき金属棒、
３−厚さ４ｍｍ樹脂板５−結束バンド６−樹脂パイプ４−硬質ゴム
図３から９−バスケットカバー１０−１１−バスケット枠上部、１２−ゴムバンド金具
図４から硬質樹脂パイプ図３の７
図５から太さ４ｍｍ被膜つき金属棒図３の８
〔図３の説明〕
〔０００８〕
バスケット両サイドに予め７の硬質パイプ５を結束バンドで固定しておき、図１のＡ部を７番硬質パイプ穴にさし込みながら図１Ｂ部をバスケット枠上部１１番に乗せて図３−１２のゴムバンド先端金具でとめる。その後に図５を使用して図１−６の穴にさし込んで両サイドの補助具を連結し、取付けが終ったところで９番カバーをセットする。
【図１】
0003165798.tif 000003
【図２】
0003165798.tif 000004
【図３】
0003165798.tif 000005
【図４】
0003165798.tif 000006
【図５】
0003165798.tif 000007
【図６】
0003165798.tif 000008
【図７】
0003165798.tif 000009
【図８】
0003165798.tif 000010
【手続補正書】
【提出日】平成22年9月2日(2010.9.2)
【手続補正２】
【補正対象書類名】実用新案登録請求の範囲
【補正対象項目名】全文
【補正方法】変更
【補正の内容】
【実用新案登録請求の範囲】
【請求項１】
バイクバスケットに取付けるもので、変形直角三角形の樹脂板をベースに２本の被膜付き金属棒と溝付き硬質ゴムを結束バンドで結合させたもので、太い方の金属棒をベース垂直辺に平行に斜辺手前までの長さを底辺よりでゴムを狹さみ固定し、細い金属棒を太い方に沿はせ底辺よりで曲げ、底辺に平行に２ヶ所ゴムを狹さみ固定し斜辺近くで曲げおろし底辺近くで再び折り曲げ斜辺に沿はせ３ヶ所固定して頂点近くで樹脂パイプを通して小さく折り曲げたものでこの斜辺が考案具本来のバスケットカバー蓋部分をセットどめした雨天用新聞配達用バスケットカバー取付け補助具。
【請求項２】
補助具のバスケット装着でバスケットに固定した硬質樹脂パイプに請求項１の太い金属棒、細い金属棒を通しひっかけ金具付きゴムバンドにより補助具と、バスケットをセットどめした、雨天用新聞配達用バスケットカバー取付け補助具。
【手続補正３】
【補正対象書類名】明細書
【補正対象項目名】全文
【補正方法】変更
【補正の内容】
【考案の詳細な説明】
【技術分野】
【０００１】本考案はバイクによる雨天での新聞配達でバスケットカバー蓋の部分を新聞出し入れの為の開口つけてセットどめする為の補助具である。
【背景技術】
【０００２】バイクには、バスケットとハンドルが一体型で動くものと、スクーターのように分離型がある。この分離型の場合バスケットカバーの蓋の部分を物を出し入れする為の開口をつけてセットどめ出来ないので、雨降りは、両手作業になり、非常に困難で余けいな時間がかかり楽白くないが、仕方なく仕事に追はれ過ごして居る次第なのです。何とかしてこの悩みを解決したい！と思い続けてきたのであります。
【考案が解決しようとする課題】
【０００３】設え付けの専用カバーにしろ、市販のビニールシートをカバーとして利用するにしろ、カバーの蓋の部分を新聞出し入れの為に開口をつけてセットどめ出来れば作業も計どり、楽しいものに成る訳であり、ハンドルにセット出来ない以上バスケットを利用するに限られる。それは、軽量で丈夫でバスケットへの脱着が簡単でなくてはならぬ。
【課題を解決する為の手段】
【０００４】２種類の太さの被膜付き金属棒と、軽くて丈夫な樹脂板をベースに硬質ゴムを結束バンドで結合させた物にする。樹脂板と金属棒の間に硬質ゴムを２ヶ所狹さむことによって、考案物をバスケットに装着の時、バスケット枠上部の上に乗せる為と枠上部を考案物に狹さみ込む為に使用する。そして予めバスケットカバー両サイドコーナに硬質樹脂パイプを固定しておき、その穴に支柱となる部位を通し、金具付きゴムバンドで押え込む構造にする。
細い金属棒は太いものと共に支柱の部位から、バスケット上枠に乗せる部位、そして上枠を狹さみ込む為の極たんな曲げ部位から大事な役目のカバー蓋セットどめの部位へと、一本物での曲げ加工を施す。
【考案の効果】
【０００５】軽量で丈夫な物になっている。確実に簡単にバスケットの装着出来る。
それは、硬質樹脂パイプと、金具付きゴムバンドが効果をより以上のものにしている。又樹脂板のベースが側面からの雨の降り込みを防ぎ専用カバーも１００％活かされ市販のビニールシートをカバーとして使用することもこの限りでない、スクーターのみならず他の型のバイクにも利用出来新聞配達に限らず広い面で活用されるであろうと思います。
【図面の簡単な説明】
【０００６】
【図１】考案したバスケットカバー取付け補助具の平面図。左、右一対で１セットとする。
【図２】図−１の左からの側面図。
【図３】バスケットに補助具を取付け専用カバーをセットした図。
【図４】バスケットへの補助具装着時に必要な硬質樹脂パイプの図。
【図５】補助具左、右連結する時の金属棒の図。
【図６】専用カバーを取付け、セットしたところを開口口より見た写真。
【図７】市販のビニールシートをカバーとしてセットした写真。
【図８】専用バスケットカバー装着時の前面よりの写真。
【符号の説明】
【０００７】  １．太い方の被膜付き金属棒。
２．細い方の被膜付き金属棒。
３．ベースにしている樹脂板。
４．金属棒と、樹脂板との間に組み込んだ硬質ゴム。
５．結束バンド。
６．樹脂パイプ。
７．硬質樹脂パイプ。
８．連結棒。
９．専用バスケットカバー。
１０．バイク設え付けバスケット。
１１．補助具装着の時バスケット枠上部位。
１２．補助具の細い金属棒部位を押え込む為の金具付きゴムバンドの金具。
Ａ．補助具の支柱部分。
Ｂ．補助具装着の時バスケット枠上部に乗せる部分で、金具付きゴムバンドで押え込む部分。
【手続補正４】
【補正対象書類名】図面
【補正対象項目名】図８
【補正方法】変更
【補正の内容】
【図８】
0003165798.tif 000011
【手続補正書】
【提出日】平成22年11月1日(2010.11.1)
【手続補正１】
【補正対象書類名】実用新案登録請求の範囲
【補正対象項目名】全文
【補正方法】変更
【補正の内容】
【実用新案登録請求の範囲】
【請求項１】
バイクバスケットに取付けるもので、変形直角三角形の樹脂板をベースに２本の被膜付き金属棒と、溝つき硬質ゴムを結束バンドで結合させたもので、太い方の金属棒は、ベースの垂直辺に平行に斜辺手前までの長さを有し、ベース底辺近くでゴムを挾さみ固定し、細い方の金属は太い方に沿わせ底辺よりで曲げ底辺に平行に２ヶ所ゴムを挾さみ固定し、斜辺近くで曲げおろし底辺近くで再び折り曲げ斜辺に沿わせ３ヶ所固定して頂点近くで樹脂パイプを通して小さく曲げたものでこの斜辺にバスケットカバー蓋部分をセットどめする雨天用新聞配達用バスケットカバー取付け補助具。
【請求項２】
補助具のバイクバスケットへの装着で、バスケットに固定した硬質樹脂パイプに請求項１に記載した太い金属棒、細い金属棒をさし込み、ひっかけ金具付きゴムバンドで、細い金属棒と、バイクバスケットをセットどめした請求項１に記載の雨天用新聞配達用バスケットカバー取付け補助具。